(57)【要約】【課題】  本発明の目的は、ガスメータの遮断解除ボタン構造等として採用される押圧ボタン構造においてシールリングのシールリング収容凹部からの脱落を簡単且つ適切に知り、ケーシング内の気密性及び水密性を適切なものに確保可能な技術を提供する点にある。【解決手段】  軸部３と押圧部２とを有する押圧ボタン１と、シールリング１６と、軸部３を軸心方向に摺動自在な状態で支持する支持孔８とシールリング１６が外部側から嵌合されるシールリング収容凹部９とを有するボタン装着部７と、シールリング１６を外部側から押える押え部材１３と、押え部材１３と押圧部２とを離間する方向に付勢するばね部材１８とを備えた押圧ボタン構造において、押圧部２の押え部材１３に対する相対距離が設定距離未満にならないように規制する規制手段２０と、押圧状態において押圧ボタン１のケーシング６に対する適正押圧位置を表示する適正押圧位置表示部２１を備える。【選択図】        図３
2006260837.tif 000002
【特許請求の範囲】
【請求項１】
柱状の軸部と前記軸部の外部側の先端に設けられた押圧部とを有する押圧ボタンと、
前記押圧ボタンの軸部に装着されたシールリングと、
内部と外部とを仕切るケーシングに形成され、前記押圧ボタンの軸部を軸心方向に摺動自在な状態で支持する支持孔と、前記シールリングが外部側から嵌合されるシールリング収容凹部とを有するボタン装着部と、
前記シールリング収容凹部における前記押圧ボタンの押圧部側に配置され前記シールリングを外部側から押える環状の押え部材と、
前記押え部材と前記押圧ボタンの押圧部との夫々を離間する方向に付勢するばね部材とを備えた押圧ボタン構造であって、
前記押圧ボタンの押圧部の前記押え部材に対する相対距離が設定距離未満にならないように規制する規制手段と、
前記押圧ボタンが押圧され前記規制手段が働く状態である押圧状態において、前記押圧ボタンの前記ケーシングに対する適正な相対位置である適正押圧位置を表示する適正押圧位置表示部を備えた押圧ボタン構造。
【請求項２】
前記押え部材が、前記シールリング収容凹部内に突出する突出部を有する請求項１に記載の押圧ボタン構造。
【請求項３】
前記規制手段が、前記押圧ボタンの押圧部と前記押え部材との距離が設定距離未満とならないように前記ばね部材の最圧縮時の長さを設定して構成されている請求項１又は２に記載の押圧ボタン構造。
【発明の詳細な説明】
【技術分野】
【０００１】
本発明は、柱状の軸部と前記軸部の外部側の先端に設けられた押圧部とを有する押圧ボタンと、
前記押圧ボタンの軸部に装着されたシールリングと、
内部と外部とを仕切るケーシングに形成され、前記押圧ボタンの軸部を軸心方向に摺動自在な状態で支持する支持孔と、前記シールリングが外部側から嵌合されるシールリング収容凹部とを有するボタン装着部と、
前記シールリング収容凹部における前記押圧ボタンの押圧部側に配置され前記シールリングを外部側から押える環状の押え部材と、
前記押え部材と前記押圧ボタンの押圧部との夫々を離間する方向に付勢するばね部材とを備えた押圧ボタン構造及びそれを備えたガスメータに関する。
【背景技術】
【０００２】
従来、上記のような押圧ボタン構造は、押圧ボタンの軸部をボタン装着部に開口する支持孔に挿入すると共に、その軸部に装着されたシールリングを、ボタン装着部の支持孔よりも外部側に形成されたシールリング収容凹部に嵌合させることで、押圧ボタンの軸部とボタン装着部の支持孔との間に形成される隙間を閉鎖して、ケーシング内の気密性及び水密性を確保するものとして知られている（例えば、特許文献１を参照。）。
かかる押圧ボタン構造は、押圧ボタンの押圧部が押圧されると、押圧ボタンの押圧部を外部側に付勢するばね部材が圧縮されながら、押圧ボタンの軸部が、その軸心方向における内部側に変位してケーシング内に設けられたスイッチ等の操作部を押圧操作するように構成されている。そして、このような押圧ボタン構造は、例えば、ガスの供給を遮断可能な遮断弁をケーシング内に備えたガスメータにおいて、その遮断弁による遮断を解除するための遮断解除ボタン構造として利用することができる。
【０００３】
かかる押圧ボタン構造は、シールリングのシールリング収容凹部からの脱落を抑制するために、シールリング収容凹部における押圧ボタンの押圧部側に配置されシールリングを外部側から押える環状の押え部材と、その押え部材と押圧ボタンの押圧部との夫々を離間する方向に付勢するばね部材とが備えられている。
【０００４】
【特許文献１】特開２００１−３０７５７４号公報
【発明の開示】
【発明が解決しようとする課題】
【０００５】
上述した従来の押圧ボタン構造は、上記押え部材等によりシールリングのシールリング収容凹部からの脱落が抑制されているものの、組立不良や使用時の衝撃等により、シールリングの少なくとも一部がシールリング収容凹部から脱落してしまった場合には、そのような状態を適切且つ簡単に知るための手段は無く、ケーシング内の気密性及び水密性が適切に確保されていない場合がある。
本発明は、上記の課題に鑑みてなされたものであり、その目的は、上記のようなガスメータの遮断解除ボタン構造等として採用される押圧ボタン構造において、シールリングのシールリング収容凹部からの脱落を簡単且つ適切に知り、ケーシング内の気密性及び水密性を適切なものに確保可能な技術を提供する点にある。
【課題を解決するための手段】
【０００６】
上記目的を達成するための本発明に係る押圧ボタン構造は、柱状の軸部と前記軸部の外部側の先端に設けられた押圧部とを有する押圧ボタンと、
前記押圧ボタンの軸部に装着されたシールリングと、
内部と外部とを仕切るケーシングに形成され、前記押圧ボタンの軸部を軸心方向に摺動自在な状態で支持する支持孔と、前記シールリングが外部側から嵌合されるシールリング収容凹部とを有するボタン装着部と、
前記シールリング収容凹部における前記押圧ボタンの押圧部側に配置され前記シールリングを外部側から押える環状の押え部材と、
前記押え部材と前記押圧ボタンの押圧部との夫々を離間する方向に付勢するばね部材とを備えた押圧ボタン構造であって、その第１特徴構成は、前記押圧ボタンの押圧部の前記押え部材に対する相対距離が設定距離未満にならないように規制する規制手段と、
前記押圧ボタンが押圧され前記規制手段が働く状態である押圧状態において、前記押圧ボタンの前記ケーシングに対する適正な相対位置である適正押圧位置を表示する適正押圧位置表示部を備えた点にある。
【０００７】
上記押圧ボタン構造の第１特徴構成によれば、上記規制手段を設けることで、押圧ボタンの押圧部の押え部材に対する相対距離が設定距離未満にならないように規制されるので、この規制手段が働く押圧状態において、押圧ボタンの軸部がその軸心方向における内部側へ過剰に変位して、その軸部の基端部により操作されるスイッチ等の操作部を過剰に押し込んで破損させることを防止することができる。
そして、シールリングのシールリング収容凹部からの脱落により、シールリングを押える押え部材が押圧ボタンの押圧部側に変位した場合には、押圧状態において、上記規制手段によりその押え部材に対する押圧ボタンの押圧部の相対距離が設定距離とされることから、上記押え部材の変位に伴って、押圧ボタンがケーシングに対して相対的に外部側に変位することになる。よって、上記適正押圧位置表示部を設けることで、押圧状態において、押圧ボタンのケーシングに対する相対位置が適正押圧位置であるか否かを簡単に認識して、その相対位置が適正押圧位置よりも外側に変位している場合には、シールリングのシールリング収容凹部からの脱落の可能性が高いと認識することができる。
【０００８】
また、このような押圧ボタン構造を、ガスメータにおける遮断弁による遮断を解除するための遮断解除ボタン構造として設けることにより、シールリングのシールリング収容凹部からの脱落を簡単且つ適切に認識して、適宜分解補修等を行って、ガスメータのケーシング内の気密性及び水密性を適切なものに確保することができる。
【０００９】
本発明に係る押圧ボタン構造の第２特徴構成は、前記押え部材が、前記シールリング収容凹部内に突出する突出部を有する点にある。
【００１０】
上記第２特徴構成によれば、上記押え部材が上記突出部を有することで、その突出部によりシールリングをシールリング収容凹部内に良好に押えて、シールリングのシールリング収容凹部からの脱落を抑制することができる。
更に、そのシールリングがシールリング収容凹部から脱落して、押え部材の突出部がシールリング収容凹部内に適切に挿入されずにケーシングのシールリング収容凹部の縁部に当接する状態となると、押え部材が押圧ボタンの押圧部側に大幅に変位することから、押圧状態において、押圧ボタンのケーシングに対する相対位置が適正押圧位置よりも大幅に変位していることを容易に視認することができる。
【００１１】
本発明に係る押圧ボタン構造の第３特徴構成は、前記規制手段が、前記押圧ボタンの押圧部と前記押え部材との距離が設定距離未満とならないように前記ばね部材の最圧縮時の長さを設定して構成されている点にある。
【００１２】
上記第３特徴構成によれば、上記のように押え部材と押圧ボタンの押圧部との夫々を離間する方向に付勢するばね部材の最圧縮時の長さを適切なものに設定するという簡単な構成で、押圧ボタンの押圧部の押え部材に対する相対距離が設定距離未満にならないように規制する規制手段を構成することができる。
【発明を実施するための最良の形態】
【００１３】
本発明に係る押圧ボタン構造の実施の形態について図面に基づいて説明する。
図１に示す押圧ボタン構造は、例えば、ガスメータにおける遮断弁による遮断を解除するための遮断解除ボタン構造として設けられ、詳細については後述するが、押圧ボタン１の押圧部２が押圧されると、押圧ボタン１の押圧部２を外部側に付勢するばね部材１８が圧縮されながら、押圧ボタン１の軸部３がその軸心方向における内部側に変位し、その軸部３の基端部３ａがケーシング６内に設けられたスイッチ等の操作部（図示せず）を押圧操作するように構成されている。
【００１４】
押圧ボタン１は、円柱状の軸部３と、軸部３の外部側の先端に設けられた押圧部２とで構成されており、例えば、押圧部２は、上記軸部３よりも大径の円柱状に形成されている。
【００１５】
押圧ボタン１の軸部３には、後述するボタン装着部７のシールリング収容凹部９に嵌合されるシールリング１６が装着されており、更に、軸部の基端部３ａ側には、押圧ボタン１の外部側への抜けを防止するための抜け止めリング４が設けられている。
【００１６】
ボタン装着部７は、内部と外部とを仕切るケーシング６に形成されており、内部側（軸部３の基端部３ａ側）に、押圧ボタン１の軸部３を軸心方向に摺動自在な状態で支持する支持孔８が形成され、更に、その支持孔８よりも外部側（押圧部２側）に、軸部３に装着されたシールリング１６（Ｏリング）が外部側から嵌合されるシールリング収容凹部９とを有する。
【００１７】
更に、ボタン装着部７は、そのシールリング収容凹部９における外部側に、後述する押え部材１３やばね部材１８を収容すると共に、押圧ボタン１の押圧部２の一部の基端側を軸心方向の摺動を許容する状態で収容する押圧部収容凹部１０を有する。
即ち、ボタン装着部７は、小径の支持孔８、その支持孔８よりも大径のシールリング収容凹部９、及び、そのシールリング収容凹部９よりも大径の押圧部収容凹部１０とを、ケーシング６の内部側から外部側にかけて形成した３段の開口部として形成されている。
【００１８】
シールリング収容凹部９における押圧ボタン１の押圧部２側、即ち押圧部収容凹部１０の底部側には、シールリング収容凹部９に嵌合されたシールリング１６を外部側から押える環状の押え部材１３が配置されている。
【００１９】
更に、この押え部材１３には、シールリング収容凹部９内に突出する突出部１４を有し、その突出部１４によりシールリング１６がシールリング収容凹部９内に良好に押えられて、シールリング１６のシールリング収容凹部９からの脱落が抑制されている。
【００２０】
押え部材１３と押圧ボタン１の押圧部２との夫々を離間する方向に付勢するばね部材１８が設けられている。
即ち、このばね部材１８は、押圧部収容凹部１０における押え部材１３と押圧ボタン１の押圧部２との間に圧縮状態で介装されており、押圧ボタン１の押圧部２を外部側に付勢すると共に、押え部材１３を内部側に付勢することができる。
【００２１】
次に、押圧ボタン構造において、シールリング１６のシールリング収容凹部９からの脱落を簡単且つ適切に知るための構成について、説明を加える。
【００２２】
図２に示すように、押圧ボタン１の押圧部２の押え部材１３に対する相対距離が設定距離未満にならないように規制する規制手段２０として、ばね部材１８の最圧縮時の長さが、押圧ボタン１の押圧部２と押え部材１３との距離が設定距離未満とならないような長さに設定されている。
このように規制手段２０を設けることで、押圧ボタン１の押圧部２の押え部材１３に対する相対距離が設定距離未満にならないように規制されるので、押圧ボタン１を押圧して規制手段２０が働く（具体的には、押圧ボタン１の押圧部２の押え部材１３に対する相対距離が設定距離となる）状態である押圧状態において、押圧ボタン１の軸部３がその軸心方向における内部側へ過剰に変位して、その軸部３の基端部３ａにより操作されるスイッチ等の操作部が過剰に押し込まれて破損することが防止される。
【００２３】
更に、押圧状態において、押圧ボタン１のケーシング６に対する適正な相対位置である適正押圧位置を表示する適正押圧位置表示部２１が設けられている。
【００２４】
具体的には、適正押圧位置表示部２１は、押圧ボタン１の押圧部２の側面に描かれたインジケータとして構成されており。そして、シールリング１６のシールリング収容凹部９からの脱落が発生しておらず押え部材１３が適正な位置に配置されている状態（以下、シールリング適正状態と呼ぶ。）として、押圧ボタン１が押圧されてばね部材１８が最圧縮し規制手段２０が働いている（即ち、押圧ボタン１がそれ以上内部側に変位しない）ときにおけるケーシング６に形成された押圧部収容凹部１０の縁部１１の位置が、適正押圧位置表示部２１の位置と一致するように構成されている。
【００２５】
従って、図３に示すように、シールリング１６のシールリング収容凹部９からの脱落により、シールリング１６を押える押え部材１３が押圧ボタン１の押圧部２側に変位した場合には、押圧状態において、上記規制手段２０によりその押え部材１３に対する押圧部２の相対距離が設定距離とされる押圧ボタン１が、ケーシング２に対して相対的に外部側に変位し、適正押圧位置表示部２１の位置が、押圧部収容凹部１０の縁部１１の位置よりも外部側にずれた位置となる。
そして、作業者は、このような押圧状態における適正押圧位置表示部２１のずれを視認することで、シールリング１６のシールリング収容凹部９からの脱落の可能性が高いと認識し、例えば、適宜分解補修等を行って、ケーシング６内の気密性及び水密性を適切なものに確保することができる。
【００２６】
更に、押え部材１３が上述した突出部１４を有することで、シールリング１６がシールリング収容凹部９から脱落した場合には、押え部材１３の突出部１４がシールリング収容凹部９内に適切に挿入されずにシールリング収容凹部９の縁部に当接する状態となるので、押え部材１３が押圧ボタン１の押圧部２側に大幅に変位して、適正押圧位置表示部２１のずれが視認し易くなる。
【００２７】
〔別実施形態〕
（１）上記実施の形態では、押圧ボタン構造を、ガスメータにおける遮断弁による遮断を解除するための遮断解除ボタン構造として設けた例について説明したが、別に、本発明に係る押圧ボタン構造は、ガスメータ以外の気密性及び水密性を必要とする装置にも適用することができる。
【００２８】
（２）上記実施の形態では、ケーシング６に押圧部収容凹部１０を設けたが、この上記押圧部収容凹部１０は省略しても構わない。
また、適正押圧位置表示部２１を、押圧状態において押圧部収容凹部１０の縁部１１の適正な位置を示す押圧ボタン１の押圧部２の側面に描かれたインジケータとして構成したが、上記押圧部収容凹部１０を省略した場合には、押圧部収容凹部１０の縁部１１の代わりの部材をケーシング６に設けることができる。
【００２９】
（３）上記実施の形態では、適正押圧位置表示部２１を、押圧状態において押圧部収容凹部１０の縁部１１の適正な位置を示す押圧ボタン１の押圧部２の側面に描かれたインジケータとして構成したが、別に、適正押圧位置表示部２１は、押圧状態において、押圧ボタン１のケーシング２に対する適正な相対位置である適正押圧位置を表示するものであれば適宜改変可能である。
【００３０】
（４）上記実施の形態では、押え部材１３に、シールリング収容凹部９内に突出する突出部１４を設けたが、別に、押え部材１３は、シールリング収容凹部９の外部側に配置されシールリング１６を外部側から押える環状のものであれば、上記突出部１４を設けなくても構わない。
【００３１】
（５）上記実施の形態では、規制手段２０を、押圧ボタン１の押圧部２と押え部材１３との距離が設定距離未満とならないようにばね部材１８の最圧縮時の長さを設定することで構成したが、別に、規制手段２０は、押圧ボタン１の押圧部２の押え部材１３に対する相対距離が設定距離未満にならないように規制するものであれば適宜改変可能である。例えば、押圧ブランの押圧部２に押え部材１３側に延出し、押圧ボタン１の押圧部２の押え部材１３に対する相対距離が設定距離となるときに押え部材に当接する延出部等により規制手段を構成することができる。
【産業上の利用可能性】
【００３２】
本発明に係る押圧ボタン構造は、上記のようなガスメータの遮断解除ボタン構造等のように、シールリングのシールリング収容凹部からの脱落を簡単且つ適切に知り、ケーシング内の気密性及び水密性を適切なものに確保するための押圧ボタン構造として適用することができる。
【図面の簡単な説明】
【００３３】
【図１】押圧ボタン構造の概略構成図
【図２】押圧ボタン構造の押圧状態を示す図
【図３】押圧ボタン構造のシールリング脱落時における押圧状態を示す図
【符号の説明】
【００３４】
１：押圧ボタン
２：押圧部
３：軸部
６：ケーシング
７：ボタン装着部
８：支持孔
９：シールリング収容凹部
１３：押え部材
１４：突出部
１６：シールリング
１８：ばね部材
２０：規制手段
２１：適正押圧位置表示部
【図１】
2006260837.tif 000003
【図２】
2006260837.tif 000004
【図３】
2006260837.tif 000005